(57)【要約】【課題】断熱部材を燃料タンク本体に容易に取り付けることができ、しかも容量に対して外径寸法を小さくすることが可能な燃料タンクを得る。【解決手段】断熱部材１６は、下側断熱材１８Ｌと上側断熱材１８Ｕとに２分割され、接触部２２の近傍の固定孔２８のそれぞれにベース部材３０が挿入固定される。ベース部材３０の挿入孔３８のそれぞれに、アンカー部材４４の２本の挿入ピン４６を挿入することで、下側断熱材１８Ｌと上側断熱材１８Ｕとを連結できる。【選択図】図５
2011068208.tif 000002
【特許請求の範囲】
【請求項１】
燃料を収容可能な燃料タンク本体と、
前記燃料タンク本体の周囲に配置された複数の分割断熱材で構成され、燃料タンク本体を取り囲む断熱部材と、
前記分割断熱材にそれぞれ固定された固定部材と、
複数の前記分割断熱材のうち異なる分割断熱材に固定された前記固定部材に係合されて分割断熱材を連結する連結部材と、
を有する燃料タンク。
【請求項２】
前記固定部材が、前記分割断熱材に嵌め込まれている請求項１に記載の燃料タンク。
【請求項３】
前記固定部材に、前記分割断熱材の厚み方向に沿い外側に開口する挿入孔が形成され、前記連結部材が、前記挿入孔に外側から挿入されて係合される挿入部を有する請求項１又は請求項２に記載の燃料タンク。
【請求項４】
前記連結部材で連結された前記固定部材の間の部分の前記分割断熱材が、前記連結部材の固定部材への係合によって連結部材で厚み方向に圧縮されるように他の部分よりも厚肉に形成されている請求項１〜請求項３のいずれか１項に記載の燃料タンク。
【請求項５】
前記燃料タンク本体と前記分割断熱材又は前記固定部材の間に配置され、固定部材の燃料タンク本体への移動を抑制する移動抑制部材、を有する請求項１〜請求項４のいずれか１項に記載の燃料タンク。
【請求項６】
前記移動抑制部材が、前記分割断熱材から突出されている請求項５に記載の燃料タンク。
【請求項７】
前記移動抑制部材が、前記固定部材の周囲において前記分割断熱材を部分的に燃料タンク本体に向かって突出させて形成されている請求項６に記載の燃料タンク。
【発明の詳細な説明】
【技術分野】
【０００１】
本発明は、自動車等の車両に備えられる燃料タンクに関する。
【背景技術】
【０００２】
自動車等の車両に備えられる燃料タンクでは、内部に収容された燃料の温度変化を抑制することが好ましい。たとえば特許文献１には、燃料タンク外側の断熱材を保護カバーにより被覆されているものにおいて、燃料タンクに保持部材及び保護カバーとが取り付けられた構造のものが記載されている。
【０００３】
しかし、特許文献１の構造では、断熱材の外側をさらに保護カバー等で被覆しているので、燃料タンクの容量に対して実質的に外径寸法が大きくなる。しかも、断熱材を燃料タンクの周囲に取り付ける作業も煩雑になる。
【先行技術文献】
【特許文献】
【０００４】
【特許文献１】実開昭６１−１９２９２３号公報
【発明の概要】
【発明が解決しようとする課題】
【０００５】
本発明は上記事実を考慮し、断熱部材を燃料タンク本体に容易に取り付けることができ、しかも容量に対して外径寸法を小さくすることが可能な燃料タンクを得ることを課題とする。
【課題を解決するための手段】
【０００６】
請求項１に記載の発明では、燃料を収容可能な燃料タンク本体と、前記燃料タンク本体の周囲に配置された複数の分割断熱材で構成され、燃料タンク本体を取り囲む断熱部材と、前記分割断熱材にそれぞれ固定された固定部材と、複数の前記分割断熱材のうち異なる分割断熱材に固定された前記固定部材に係合されて分割断熱材を連結する連結部材と、を有する。
【０００７】
この燃料タンクでは、燃料を収容可能な燃料タンク本体の周囲に複数の分割断熱材が配置される。そして、異なる分割断熱材にそれぞれ固定された固定部材に連結部材を係合させて分割断熱材を連結するだけで、燃料タンク本体を断熱部材（複数の分割断熱材）で取り囲んだ状態に容易に維持できる。すなわち、燃料タンク本体の周囲を取り囲んで断熱部材が取り付けられた状態となるので、断熱効果が得られる。なお、ここでいう「取り囲む」とは、互いに直交する３方向（たとえば上下方向、車両前後方向及び車幅方向）の少なくとも２方向において、燃料タンク本体の両側に断熱部材が位置することで燃料料タンク本体から不用意に脱落しない状態であることを言い、３方向の両側で燃料タンク本体の両側に断熱部材が位置することが好ましい。
【０００８】
固定部材は、分割断熱材に固定されていればよく、連結部材としても、固定部材にそれぞれ係合されていればよい。すなわち、断熱部材（複数の分割断熱材）の周囲を、さらに別の部材で被覆する必要がないので、燃料タンク本体の容量に対して外径寸法を小さくできる。
【０００９】
請求項２に記載の発明では、請求項１に記載の発明において、前記固定部材が、前記分割断熱材に嵌め込まれている。
【００１０】
これにより、固定部材が分割断熱材から突出しなくなるので、燃料タンクの大型化をより効果的に抑制できる。
【００１１】
請求項３に記載の発明では、請求項１又は請求項２に記載の発明において、前記固定部材に、前記分割断熱材の厚み方向に沿い外側に開口する挿入孔が形成され、前記連結部材が、前記挿入孔に外側から挿入されて係合される挿入部を有する。
【００１２】
固定部材に形成された挿入孔に連結部材の挿入部を挿入することで、固定部材に連結部材を係合させて分割断熱材を連結できる。挿入孔は分割断熱材の厚み方向に沿って形成されており、挿入部を外側、すなわち燃料タンク本体の反対側から燃料タンクに向かう方向に挿入するので、連結部材による分割断熱材の連結作業が容易になる。
【００１３】
請求項４に記載の発明では、請求項１〜請求項３のいずれか１項に記載の発明において、前記連結部材で連結された前記固定部材の間の部分の前記分割断熱材が、前記連結部材の固定部材への係合によって連結部材で厚み方向に圧縮されるように他の部分よりも厚肉に形成されている。
【００１４】
したがって、連結部材が固定部材に係合されると、分割断熱材は、固定部材の間の厚肉に形成された部分において厚み方向に圧縮される。これにより、分割断熱材は、この圧縮に伴う「逃げ」として、接触部で互いに接触する方向へ変形する。すなわち、分割断熱材どうしが接触部でより強く接触する（密着する）ことになるので、より高い断熱効果が得られる。
【００１５】
請求項５に記載の発明では、請求項１〜請求項４のいずれか１項に記載の発明において、前記燃料タンク本体と前記分割断熱材又は前記固定部材の間に配置され、固定部材の燃料タンク本体への移動を抑制する移動抑制部材、を有する。
【００１６】
すなわち、固定部材が燃料タンク本体に向かって移動した場合でも、移動抑制部材により、燃料タンクへの移動が抑制されるので、固定部材が移動して燃料タンクに衝突した場合の異音の発生などを抑制可能となる。
【００１７】
請求項６に記載の発明では、請求項５に記載の発明において、前記移動抑制部材が、前記分割断熱材から突出されている。
【００１８】
すなわち、移動抑制部材は分割断熱材と一体で成形されているので、移動抑制部材を分割断熱材とは別体とした構成と比較して、部品点数が少なくなり、移動抑制部材の取付工数も無くすことができる。
【００１９】
請求項７に記載の発明では、請求項６に記載の発明において、前記移動抑制部材が、前記固定部材の周囲において前記分割断熱材を部分的に燃料タンク本体に向かって突出させて形成されている。
【００２０】
すなわち、移動抑制部材を、分割断熱材から固定部材と燃料タンク本体の間の部分に回りこませていないので、簡易な構造となる。固定部材を分割断熱材の内側（燃料タンク本体側）から分割断熱材に固定する場合には、移動抑制部材が邪魔にならず、作業性が高くなる。
【発明の効果】
【００２１】
本発明は上記構成としたので、断熱部材を燃料タンク本体に容易に取り付けることができ、しかも容量に対して外径寸法を小さくすることが可能となる。
【図面の簡単な説明】
【００２２】
【図１】本発明の第１実施形態の燃料タンクを示す平面図である。
【図２】本発明の第１実施形態の燃料タンクを示す正面図である。
【図３】本発明の第１実施形態の燃料タンクを示す分解斜視図である。
【図４】本発明の第１実施形態の燃料タンクをアンカー部材による断熱材の連結前の状態で部分的に拡大して示す断面図である。
【図５】本発明の第１実施形態の燃料タンクをアンカー部材による断熱材の連結後の状態で部分的に拡大して示す断面図である。
【図６】本発明の第２実施形態の燃料タンクをアンカー部材による断熱材の連結前の状態で部分的に拡大して示す断面図である。
【図７】本発明の第２実施形態の燃料タンクをアンカー部材による断熱材の連結後の状態で部分的に拡大して示す断面図である。
【図８】本発明の第２実施形態に係るアンカー部材を拡大して示す斜視図である。
【図９】本発明の第３実施形態の燃料タンクをアンカー部材による断熱材の連結前の状態で部分的に拡大して示す断面図である。
【図１０】本発明の第３実施形態の燃料タンクをアンカー部材による断熱材の連結後の状態で部分的に拡大して示す断面図である。
【図１１】本発明の第３実施形態に係るアンカー部材を拡大して示す斜視図である。
【発明を実施するための形態】
【００２３】
図１及び図２には、本発明の第１実施形態の燃料タンク１２が示されている。この燃料タンク１２は、図３に詳細に示すように、たとえば樹脂製材料で略箱状に形成された燃料タンク本体１４と、その周囲を略全体に渡って取り囲むように配置された断熱部材１６と、を有している。断熱部材１６は、本実施形態では上下に２分割された下側断熱材１８Ｌ、上側断熱材１８Ｕで構成されている。下側断熱材１８Ｌ、上側断熱材１８Ｕはいずれも、燃料タンク本体１４を構成する材料よりも断熱性の高い同一材料、たとえば樹脂発泡材等で成形されている。そして、燃料タンク本体１４と断熱部材１６とを有する燃料タンク１２が、図示しないタンクバンドによって車体に取り付けられる。以下において、下側断熱材１８Ｌと上側断熱材１８Ｕとを特に区別する必要がない場合は、断熱材１８として説明する。
【００２４】
図２及び図３から分かるように、上側断熱材１８Ｕは、燃料タンク本体１４の略上半分を覆うことが可能な形状とされ、下側断熱材１８Ｌは、燃料タンク本体１４の略下半分を覆うことが可能な形状とされている。図５にも詳細に示すように、後述するアンカー部材４４によって下側断熱材１８Ｌと上側断熱材１８Ｕとが連結された状態では、上側断熱材１８Ｕの下縁部２０Ｕと下側断熱材１８Ｌの上縁部２０Ｌ（いずれも図４に示す）とが燃料タンク本体１４の側面に沿って全周で接触しており（この接触部分を断熱部材１６における接触部２２とする）、これによって断熱部材１６が燃料タンク本体１４の外側を隙間無く覆うことになる。
【００２５】
なお、図４及び図５から分かるように、断熱材１８の内周側面２４は、燃料タンク本体１４の外周側面２６から離間するように、断熱材１８の内寸が燃料タンク本体１４の外寸よりも大きく形成されている。断熱材１８の内周側面２４と、燃料タンク本体１４の外周側面２６との間に隙間ＳＰ１が生じてこれらが非接触となることで、断熱材１８を燃料タンク本体１４の外側に装着する（上下から被せる）ときに、抵抗が生じない。また、この隙間ＳＰ１は空気層であり、実質的に断熱効果を有する断熱層としての作用も奏する。
【００２６】
接触部２２の近傍では、下側断熱材１８Ｌ及び上側断熱材１８Ｕの双方に、これら断熱材１８を厚み方向に貫通する固定孔２８が形成されている。本実施形態では、図１から分かるように、燃料タンク本体１４を平面視したときの長辺に２つ、短辺に１つでの固定孔２８が形成されている。固定孔２８のそれぞれには、ベース部材３０が挿入（嵌めこみ）されて固定されている。すなわち、断熱材１８どうし接触部２２の両側において、接触部２２の近傍にベース部材３０が固定されていることになる。
【００２７】
ベース部材３０は、円筒状に形成されたベース本体部３２と、このベース本体部３２よりも拡径されて、燃料タンク１２と対向するフランジ部３４、さらに、フランジ部３４と反対側で断熱材１８に係合する係合爪３６、を有している。ベース部材３０は、断熱材１８の内側から固定孔２８に挿入されると、フランジ部３４が断熱材１８に当たって所定位置でこの挿入が阻止される。この状態で、ベース部材３０、特にフランジ部３４は、燃料タンク本体１４に近接した位置となっている。
【００２８】
また、ベース部材３０の係合爪３６には挿入方向前方側にテーパー面３６Ｔが形成されており、固定孔２８へ挿入する時の抵抗が少なくされている、さらに、係合爪３６には挿入方向後方側に係合面３６Ｋが形成されており、ベース部材３０が所定位置に至ったときに断熱材１８に係合して、フランジ部３４との間で断熱材１８を挟み込むようになっている。
【００２９】
特に本実施形態では、フランジ部３４から係合面３６Ｋまでの間隔が、断熱材１８の厚みよりも狭くされており、ベース部材３０は断熱材１８への取付状態で、断熱材１８を局所的に厚み方向に圧縮して挟み込むことで、ベース部材３０が断熱材１８に固定される構造とされている。
【００３０】
ベース部材３０のベース本体部３２の内側は、後述するように、アンカー部材４４の挿入ピン４６が挿入されるように、外側（燃料タンク本体１４の反対側）に開口した挿入孔３８となっている。また、ベース本体部３２には、１又は複数（本実施形態では１つのベース部材３０につき２つ）の係止孔４０が形成されている。この係止孔４０には、挿入ピン４６に形成された係止爪５０が係合する。
【００３１】
図１〜図３からも分かるように、ベース部材３０のフランジ部３４の両側では、断熱材１８が燃料タンク本体１４に向かう緩衝ビード４２が、断熱材１８と一体成形されて突出している。緩衝ビード４２の先端は、ベース部材３０のフランジ部３４よりもさらに燃料タンク本体１４に近い位置（本実施形態では燃料タンク本体１４に接触する位置）となっている。緩衝ビード４２は、車掌振動等によりベース部材３０が燃料タンク本体１４に移動したときにこの移動を抑制し、フランジ部３４が燃料タンク本体１４に衝撃的に当たるときことを緩和（緩衝）して、異音の発声を抑制する作用を奏する。本実施形態では、特に、１つのフランジ部３４に対してその両側に１本ずつの、上下方向に延在する直線状の緩衝ビード４２の形状としている。緩衝ビード４２は、ベース本体部３２の軸方向に見て固定孔２８を塞いでおらず、ベース部材３０の周囲において断熱材１８から突出されており、ベース部材３０の取りつけに影響が出ないようになっている。
【００３２】
燃料タンク本体１４の外側に断熱材１８が装着された状態で、接触部２２の近傍において、上側断熱材１８Ｕのベース部材３０と下側断熱材１８Ｌのベース部材３０とに、アンカー部材４４が掛け渡される。
【００３３】
図４及び図５にも詳細に示すように、アンカー部材４４は、ベース部材３０の挿入孔３８のそれぞれに挿入される２本の挿入ピン４６と、挿入ピン４６を繋ぐ薄板状の接続板部４８（一般部）と、を有している。挿入ピン４６の先願側には、ベース部材３０の係止孔４０に対応した係止爪５０が形成されている。係止爪５０の挿入方向前方側にはテーパー面５０Ｔが形成されて係止爪５０が先細り形状とされており、挿入孔３８への挿入時の抵抗が少なくされている。また、係止爪５０の挿入方向後方側には係止面５０Ｋが形成されており、挿入ピン４６が所定位置まで挿入されたときに、係止孔４０に係合して、挿入ピン４６の抜けを防止している。
【００３４】
ここで、図４に示すように、挿入ピン４６の間隔（中心間距離）Ｌ１は、燃料タンク本体１４に断熱材１８が装着された状態（挿入ピン４６が挿入孔３８に挿入されていない状態）における挿入孔３８の間隔（中心間距離）Ｌ２よりもわずかに短くされている。そして、挿入ピン４６を挿入孔３８に挿入すると、断熱材１８どうしは、ベース部材３０の近傍においてが互いに接近する方向（上側断熱材１８Ｕは下方向に、下側断熱材１８Ｌは上方向）に変形又は移動し、接触部２２において互いに押し付けられて密着されるようになっている。
【００３５】
次に、本実施形態において燃料タンク本体１４に断熱部材１６を取り付けて燃料タンク１２を構成する方法、及び燃料タンク１２の作用を説明する。
【００３６】
燃料タンク本体１４に断熱部材１６（上側断熱材１８Ｕ及び下側断熱材１８Ｌ）を取り付けるには、まず、図３に示すように、断熱材１８のそれぞれの内側から、固定孔２８にベース部材３０を挿入して取付固定する（図３では１つの固定孔２８にベース部材３０を取付固定しているが、実際にはすべての固定孔２８にベース部材３０を取付固定する）。このとき、係合爪３６のテーパー面３６Ｔによって固定孔２８を僅かに拡径しつつベース部材３０を挿入でき、挿入時の抵抗が少なくなる。ベース部材３０が所定位置まで挿入されると、係合爪３６の係合面３６Ｋが断熱材１８に係合するので、ベース部材３０の抜けが防止される。このとき、ベース部材３０、特にフランジ部３４は燃料タンク本体１４に近接した位置となる。
【００３７】
そして、固定孔２８にベース部材３０が固定された断熱材１８を、燃料タンク本体１４に対し上方及び下方からそれぞれ装着する。図４に示すように、断熱材１８の内周側面２４と、燃料タンク本体１４の外周側面２６との間に隙間ＳＰ１が生じてこれらが非接触となっているので、断熱材１８を燃料タンク本体１４の外側に装着する（上下から被せる）ときに、抵抗が生じない。
【００３８】
次に、図５に示すように、アンカー部材４４の挿入ピン４６をベース部材３０の挿入孔３８に挿入して、上下の断熱材１８をアンカー部材４４で連結する。ベース部材３０、特にフランジ部３４は燃料タンク本体１４に近接されているので、挿入ピン４６を挿入孔３８に挿入するときに、ベース部材３０が挿入ピン４６の挿入方向（燃料タンク本体１４に向かう方向）に移動しても、燃料タンク本体１４に当たってこの移動が阻止されるので、挿入ピン４６の確実な挿入が可能になる。加えて、ベース部材３０の不用意な脱落が阻止されため、断熱材１８へのベース部材３０の取付荷重を低減できることにもなり、取付作業性を良好として生産性を向上させることも可能になる。
【００３９】
また、挿入ピン４６の間隔Ｌ１は挿入孔３８の間隔Ｌ２よりもわずかに短くされており、断熱材１８どうしは互いに接近する方向に変形又は移動する。すなわち、接触部２２では、断熱材１８が互いに押し付けられて密着される。これにより、断熱材１８の接触部２２におけるシール性も向上し、断熱性能を向上させることができる。
【００４０】
なお、図４では、挿入ピン４６の挿入前の段階で、上側断熱材１８Ｕの下周面と下側断熱材１８Ｌの上周面との間にわずかな隙間ＳＰ２が生じている場合を挙げているが、このような隙間ＳＰ２が生じていても、挿入ピン４６の挿入によって断熱材１８どうしを接近させることで、隙間ＳＰ２を解消することができる。
【００４１】
以上のようにして、燃料タンク本体１４の周囲を取り囲む形状の断熱部材１６を構成し、燃料タンク本体１４を断熱することができる。断熱材１８を燃料タンク本体１４に取り付けた状態に維持するには、実質的にアンカー部材４４の挿入ピンをベース部材３０の挿入孔３８に挿入すればよく、従来のように、断熱材１８の周囲をさらに別の部材で被覆等する必要がないので、燃料タンク１２の容量に対して、外径寸法を小さくできる。しかも、断熱材の周囲を被覆する部材が不要であるので燃料タンク１２の軽量化、低コスト化を図ることも可能になる。
【００４２】
図６及び図７には、本発明の第２実施形態の燃料タンク６２が部分的に示されている。第２実施形態において、燃料タンクの全体的構成は第１実施形態と同様であるので説明を省略する。また、第２実施形態において、第１実施形態と同一の構成要素、部材等は同一符号を付して、詳細な説明を省略する。
【００４３】
図８にも示すように、第２実施形態のアンカー部材６４では、接続板部４８の長手方向の両端（上端及び下端）に、断熱材１８のそれぞれに向かって斜めに延出した押圧傾斜片６６が形成されている。押圧傾斜片６６の、断熱材１８側の面が押圧傾斜面６６Ｐとされている。
【００４４】
これに対し、第２実施形態の断熱材１８には、押圧傾斜片６６のそれぞれに対応した位置に非押圧凹部６８が形成されており、特に、アンカー部材６４の挿入ピン４６を挿入孔３８に挿入するときの最終段階で押圧傾斜面６６Ｐが接触して押圧する面が、非押圧傾斜面６８Ｐとされている。押圧傾斜面６６Ｐの間隔Ｌ３は、非押圧傾斜面６８Ｐの間隔Ｌ４よりも狭くされており、押圧傾斜面６６Ｐが非押圧傾斜面６８Ｐを押圧すると、非押圧傾斜面６８Ｐの傾斜により、断熱材１８を互いに接近させる方向の力が押圧傾斜面６６Ｐから非押圧傾斜面６８Ｐに作用する。
【００４５】
このような構成とされた第２実施形態の燃料タンク６２では、第１実施形態と同様の作用効果を奏する。さらに、第２実施形態では、アンカー部材６４の挿入ピン４６を挿入孔３８に挿入するときの最終段階で、断熱材１８を互いに接近させる方向の力が押圧傾斜面６６Ｐから非押圧傾斜面６８Ｐに作用する。このため、断熱材１８どうしをより接近させて、接触部２２で強く接触させることができる。
【００４６】
図９及び図１０には、本発明の第３実施形態の燃料タンク８２が部分的に示されている。第３実施形態においても、燃料タンクの全体的構成は第１実施形態と同様であるので説明を省略する。また、第３実施形態においても、第１実施形態と同一の構成要素、部材等は同一符号を付して、詳細な説明を省略する。
【００４７】
第３実施形態では、断熱材１８の厚みが、接触部２２の近傍（アンカー部材９０で連結された２つのベース部材３０の間の部分）において、ベース部材３０から接触部２２に近づくにつれて、段差面８４及び傾斜面８６を経て局所的に他の部分よりも厚くなった厚肉部８８が形成されている。また、第３実施形態では、ベース部材３０のフランジ部３４と係合面３６Ｋの間隔は断熱材１８の厚みと略等しくされている（したがって、断熱材１８はベース部材３０によっては厚み方向に圧縮されないか、圧縮されても圧縮量は僅かとなる）が、係合爪３６が段差面８４に接触するようになっている。そしてこれにより、挿入孔３８にアンカー部材９０の挿入ピン４６が挿入された状態では、固定孔２８（ベース本体部３２）だけでなく段差面８４（係合爪３６）によっても断熱材１８が保持される。
【００４８】
第３実施形態のアンカー部材９０は、断熱材１８の厚肉部８８に対応して、上下方向の中間部分において燃料タンク本体１４から離間した位置へ変位した形状とされている。すなわち、アンカー部材９０は、図１１にも詳細に示すように、挿入ピン４６が形成された上下の一般部９２と、上下方向中間部分において、一般部９２よりも燃料タンク１２の外面から離間した離間部９４、さらに、燃料タンク１２の外面に対し傾斜し一般部９２と離間部９４とを繋ぐ傾斜部９６と、を備えている。傾斜部９６は、アンカー部材９０の挿入ピン４６を挿入孔３８に挿入するときの最終段階で、傾斜面８６に接触して押圧する。そしてこれにより、断熱材１８を互いに接近させる方向の力が傾斜部９６から傾斜面８６に作用する。
【００４９】
また、離間部９４は、アンカー部材９０の挿入ピン４６を挿入孔３８に挿入した状態において、断熱材１８の厚肉部８８を厚み方向に圧縮するように、その形状（特に、燃料タンク本体１４の外面から離間する離間量）が決められている。換言すれば、第３実施形態における断熱材１８の厚肉部８８は、アンカー部材９０によって厚み方向に圧縮される厚さに形成されている。そして、厚肉部８８において圧縮された断熱材１８がいわゆる「逃げ」として、接触部２２で互いに圧着される方向へ変形する。これによっても、断熱材１８どうしをより接近させて接触部２２を強く接触させることができる。
【００５０】
このような構成とされた第３実施形態の燃料タンク８２においても、第１実施形態の燃料タンク１２と同油の作用効果を奏するが、さらに、上記説明から分かるように、断熱材１８どうしの接触部２２を強く接触させて、高い断熱効果を得ることができる。
【００５１】
なお、上記では、本発明の固定部材として、断熱材１８の内側から固定孔２８に挿入されて固定される構造のベース部材３０を挙げているが、たとえば、断熱材１８に対し外側から取り付けられて固定されるものでもよい。いずれの構造であっても、固定孔２８に固定部材を挿入するだけの単一の動作（いわゆるワンタッチ）で固定部材を断熱材１８に取り付けることができ、作業性が高くなる。
【００５２】
上記いずれの実施形態においても、固定部材（ベース部材３０）は、断熱材１８に埋め込まれており、断熱材１８の厚みと同程度のスペースに収容されている。ベース部材３０が断熱材１８の外面から出っ張らないので、省スペース化を図ることができ、燃料タンク１２全体の小型化にも寄与できる。
【００５３】
また、本発明の連結部材としても、要するにベース部材３０を連結することが可能であれば、その結果、断熱材１８も連結することが可能であり、ベース部材３０の形状や構造に対応させたものとすればよい。特に第１実施形態及び第２実施形態において、ベース部材３０のベース本体部３２を薄板状に形成しているので、断熱材１８の外面からの出っ張り（外側スペース）が少なくなり、燃料タンク１２全体の小型化に寄与できる。第３実施形態のベース部材３０においても、離間部９４は一般部９２よりも燃料タンク本体１４の外側に出っ張るが、その量は僅かで済む。
【００５４】
しかも、上記各実施形態のように、ベース部材３０の挿入孔３８にアンカー部材４４の挿入ピン４６を挿入する構造とすることで、アンカー部材４４を断熱材１８の外側からベース部材３０に向かって押し込むだけの単一の動作（いわゆるワンタッチ）で、断熱材１８を連結でき、作業性が高くなる。
【００５５】
上記に代わる固定部材及び連結部材の例としては、たとえば、連結部材として、断熱材の外面からわずかに突出するピンとし（ピンは接触部の両側で２本）、連結部材としては、これら２本のピンが挿通されて係合される挿通孔を有する板状あるいは棒状の部材であってもよい。
【００５６】
本発明の移動抑制部材としても、上記した緩衝ビード４２に限定されず、要するに、固定部材（ベース部材３０）が燃料タンク本体１４に接近した場合であっても、固定部材の燃料タンク本体１４への移動を抑制して、衝撃を緩和する作用を奏していればよい。たとえば、断熱材１８と別体とされていてもよいが、断熱材１８と一体成形して突出させると、部品点数が少なくなり、移動抑制部材を組付ける作業工程も無くなるので、作業効率に優れる。また、移動抑制部材の一部が、固定部材（ベース部材３０）と燃料タンク本体１４の間に位置していてもよいが、固定部材の周囲に位置していると、固定部材を燃料タンク本体１４に取り付けるときに移動抑制部材が邪魔にならない。
【００５７】
また、上記では、本発明の分割断熱材として、上側断熱材１８Ｕと下側断熱材１８Ｌとに２分割されたものを例に挙げたが、分割の構造や、分割数はこれに限定されない。たとえば、３つ以上に分割し、これらの分割断熱材の周縁部分において、本発明の固定部材（ベース部材）及び連結部材（アンカー部材）により分割断熱材を連結し、全体として燃料タンク本体を取り囲む断熱部材を構成すればよい。
【００５８】
分割断熱材によって、燃料タンク本体１４の略全面を覆う必要もない、たとえば、分割断熱材を連結した状態で、少なくとも燃料タンク本体１４を取り囲んでいれば大きな断熱効果は得られるが、燃料タンク本体１４の略全面を覆うことが、断熱効果を確実に得るためには好ましい。
【００５９】
本発明のいずれの実施形態においても、分割断熱材１８の取り付けは、燃料タンク本体１４の外面の形状に依存しない。すなわち、図１〜３に示したような、直方体形状（６つの長方形で構成されている）に限定されず、外側の一部又は全部が曲面で構成された燃料タンク本体や、部分的にビードやリブが形成された燃料タンク本体に対しても適用でき、断熱効果に対する信頼性の高い燃料タンクが得られる。
【符号の説明】
【００６０】
１２  燃料タンク
１４  燃料タンク本体
１６  断熱部材
１８  断熱材
３０  ベース部材（固定部材）
３６  係合爪
３８  挿入孔
４２  緩衝ビード（移動抑制部材）
４４  アンカー部材（連結部材）
４６  挿入ピン
５０  係止爪
６２  燃料タンク
６４  アンカー部材（連結部材）
８２  燃料タンク
８８  厚肉部
９０  アンカー部材（連結部材）
【図１】
2011068208.tif 000003
【図２】
2011068208.tif 000004
【図３】
2011068208.tif 000005
【図４】
2011068208.tif 000006
【図５】
2011068208.tif 000007
【図６】
2011068208.tif 000008
【図７】
2011068208.tif 000009
【図８】
2011068208.tif 000010
【図９】
2011068208.tif 000011
【図１０】
2011068208.tif 000012
【図１１】
2011068208.tif 000013